(57)【要約】  歯付きリンクプレートチェーンに用いられる歯付きリンクプレート（１）であって、当該歯付きリンクプレート（１）が、各１つの内側歯面（６，６´）を備えた２つの歯（３，３´）と、両歯（３，３´）の間の切込み（８）とを有している形式のものにおいて、前記内側歯面の少なくとも一方の内側歯面から切込みへの移行部が、凸面状の湾曲を有している。
2009521648.tif 000002
【特許請求の範囲】
【請求項１】
歯付きリンクプレートチェーンに用いられる歯付きリンクプレート（１）であって、当該歯付きリンクプレート（１）が、各１つの内側歯面（６，６´）を備えた２つの歯（３，３´）と、両歯（３，３´）の間の切込み（８）とを有している形式のものにおいて、前記内側歯面（６，６´）の少なくとも一方の内側歯面から切込み（８）への移行部が、凸面状の湾曲を有していることを特徴とする、歯付きリンクプレートチェーンに用いられる歯付きリンクプレート。
【請求項２】
凸面状の湾曲が縁部（１６）を有している、請求項１記載の歯付きリンクプレート。
【請求項３】
切込み（８）が、可変の曲率半径（Ｒ１´，Ｒ２´，Ｒ１，Ｒ２，Ｒ３，Ｒ４）を有する凹面状の湾曲を有している、請求項１または２記載の歯付きリンクプレート。
【請求項４】
可変の曲率半径が、離散的な半径（Ｒ１，Ｒ２，Ｒ３，Ｒ４）から成っている、請求項１から３までのいずれか１項記載の歯付きリンクプレート。
【請求項５】
可変の曲率半径が、連続的に（Ｒ１´，Ｒ２´）に変化している、請求項１から３までのいずれか１項記載の歯付きリンクプレート。
【請求項６】
請求項１から５までのいずれか１項記載の歯付きリンクプレートを有するリンクプレートチェーン。
【請求項７】
請求項６記載の歯付きリンクプレートチェーンを備えた変速機。
【発明の詳細な説明】
【技術分野】
【０００１】
本発明は、歯付きリンクプレートチェーンに用いられる歯付きリンクプレートであって、当該歯付きリンクプレートが、歯面を備えた２つの歯と、両歯の間の切込みとを有している形式のものに関する。
【０００２】
歯付きリンクプレートチェーンに用いられる歯付きリンクプレートにおいては、対称平面に切込みが存在している。この切込みは歯面と、所定の移行半径とによって描かれる。この移行部は公知先行技術によれば唯一つの半径によってのみ描かれる。さらに、歯面と移行半径とは、接線方向で互いに接続されている。すなわち、移行半径は、接続個所に１つの共通の接線が存在するように歯面に移行している。このような歯付きリンクプレートは、米国特許第５３７２５５４号明細書ならびに米国特許第５５８８９２６号明細書に基づき公知である。
【０００３】
公知先行技術による公知の歯付きリンクプレートにおいて不都合となるのは、切込みの範囲にチェーンの作動時に高い応力が生じ得ることである。
【０００４】
したがって、本発明の課題は、切込みの範囲に生じる応力が、より小さくなるような歯付きリンクプレートチェーンに用いられる歯付きリンクプレートを提供することである。
【０００５】
この問題は、歯付きリンクプレートチェーンに用いられる歯付きリンクプレートであって、当該歯付きリンクプレートが、各１つの内側歯面を備えた２つの歯と、両歯の間の１つの切込みとを有している形式のものにおいて、前記内側歯面の少なくとも一方の内側歯面から切込みへの移行部が、凸面状の湾曲を有していることを特徴とする、歯付きリンクプレートチェーンに用いられる歯付きリンクプレートにより解決される。
【０００６】
「凸面状の湾曲」とは、歯付きリンクプレートの表面に接する接線円の曲線中心点が少なくとも部分範囲にわたって歯付きリンクプレートの内部に位置するような湾曲のあらゆる形状を意味する。凸面状の湾曲はこの場合、滑らかであってよい（互いに任意の近さに隣接して位置する２つの点における接線の跳躍的な変化が存在しない）が、しかし縁部を有していてもよい。有利には、切込みへの内側歯面の両移行部が凸面状の湾曲を有している。
【０００７】
本発明の改良形では、切込みが、可変の曲率半径を有する凹面状の湾曲を有している。曲線中心点はこの場合、常に歯付きリンクプレートの外部に位置していてよい。「可変の曲率半径」とは、切込みの輪郭にわたって種々異なる接線円が、相応する湾曲中心点を持って切込みの輪郭に接し得ることを意味する。
【０００８】
本発明の別の改良形では、可変の曲率半径が、離散的（diskret.）な半径から成っている、つまり互いに並設された複数の円区分から成っている。離散的な半径の間の移行部は丸く面取りされているか、または縁部を有していてよい。
【０００９】
択一的な別の構成では、可変の曲率半径が、連続的に変化している。このことは、たとえば「スプライン」により描かれる曲線によって行なわれ得る。
【００１０】
冒頭で述べた問題は、本発明による歯付きリンクプレートを有するリンクプレートチェーンならびに本発明による歯付きリンクプレートチェーンを備えた変速機によっても解決され得る。
【００１１】
以下に、本発明の実施例を図面につき詳しく説明する。
【００１２】
図１は、切込みの種々の輪郭を有する歯付きリンクプレートを示す概略図であり；
図２は、歯面の半部を拡大して示す図であり；
図３〜図５は、図２に示した切込みの範囲の拡大図である。
【００１３】
図１には、歯付きリンクプレートチェーンに用いられる歯付きリンクプレート１が側面図で示されている。歯付きリンクプレート１は基体２を有しており、この基体２には２つの歯３，３´が配置されている。基体２には、さらにロッカピンを収容するための２つの孔４，４´が設けられており、これらのロッカピンは個々の歯付きリンクプレートを結合して歯付きリンクプレートユニットを形成する。孔４，４´は一般に円形の内側輪郭を有しておらず、孔４，４´の内側輪郭は、該孔内に収容されたロッカピンの外側輪郭に適合されている。ロッカピンは隣接し合う歯付きリンクプレートユニットの間のジョイントを形成する。このジョイントはチェーン走行方向Ｌ（図１に二重矢印により示す）に対して垂直に各ジョイントを通る軸線、つまり図１で見て図平面に対して直角に該図平面から突出した軸線を中心としたチェーンの屈曲を可能にする。歯３はそれぞれ外側歯面５；５´と内側歯面６；６´とを備えた歯面を有している。外側歯面５；５´および内側歯面６；６´は凸面状のプロファイル（断面輪郭）を有していて、移行点７；７´において切込み８に移行している。この切込み８は種々様々な輪郭を有していてよい。図１には、第１に公知先行技術による輪郭９が示されており、第２に本発明による輪郭１０，１１が示されている。図面から判るように、公知先行技術による切込み８の輪郭９は移行点７；７´において内側歯面６；６´のプロファイルに滑らかに移行しており、移行点７；７´において内側歯面６；６´のプロファイルに接した接線は、移行点７；７´において切込み８の輪郭９に接した接線と一致する。図１には、さらに切込み８の本発明による輪郭１０，１１のための２つの実施例が示されている。破線によって、本発明による輪郭の第１実施例１０が示されており、一点鎖線により、本発明による輪郭の第２実施例１１が示されている。本発明による輪郭１０，１１は移行点７；７´においてもはや内側歯面６；６´のプロファイルに滑らかに移行しておらず、縁部１６を形成している（縁部１６は図１〜図３に示した２次元の図で見た場合には屈曲部ともみなされ得る）。縁部１６が設けられている結果、少なくとも所定の範囲において、移行点７；７´の範囲において凸面状の湾曲部が存在している。凸面状の湾曲部は（シャープな）縁部１６として形成されていてよいが、しかしたとえば円弧またはスプラインまたはこれに類するものの形の滑らかな移行部であってもよい。図２および図３につき、内側歯面６；６´と切込み８との間の移行範囲のデザインについて詳しく説明する。この場合、図２には、図１に示した歯付きリンクプレートの、図１に一点鎖線により示した対称平面１２までの左側の部分が示されている。
【００１４】
図１には、さらにリンクプレート背面１５（図１には歯付きリンクプレートの上側の真っ直ぐな輪郭画定線として描かれている）と、切込み８の、前記リンクプレート背面１５の最も近くに位置する点との間の間隔が示されている。この間隔は公知先行技術による輪郭９についてはＱ１として示されており、本発明の第１実施例による輪郭１０についてはＱ２として示されている。輪郭１０の適当な選択（たとえば輪郭１１のような）によって間隔Ｑを変えることができる。対称平面１２では、輪郭１０，１１に対する接線が対称平面１２に対してそれぞれ直角である。
【００１５】
図２には、図１において対称平面１２までの歯付きリンクプレートの左側の部分が図示されている。図２につき、特に移行点７の両側における内側歯面６と切込み８との間の移行範囲について説明する。円Ａによって取り囲まれた範囲は図３に再度拡大されて図示されている。移行点７は図３において座標Ｘ１およびＹ１（図２に書き込まれたようなＸ−Ｙ座標系に基づいた座標）を有する点Ｐ１としても表されている。公知先行技術による輪郭９と対称平面１２との交点は、座標Ｘ２およびＹ２を有する点Ｐ２として表されており、本発明による輪郭１０と対称平面１２との交点は、座標Ｘ２およびＹ３を有する点Ｐ３として表されている。点Ｐ２と点Ｐ３とに関して、Ｘ座標は互いに等しい。なぜならば、これらのＸ座標は対称軸線もしくは対称平面１２によって与えられているからである。公知先行技術による輪郭９と本発明による輪郭１０との間には、座標Ｙの値に差異が生じる。座標Ｙの値は任意に変えることができる。図３から直接判るように、切込み８の公知先行技術による輪郭に対する点Ｐ１における接線は内側歯面６に対する接線と同一であり、それに対して、移行点７における切込み８の本発明による輪郭１０に対する接線１３は、移行点７において内側歯面６に接した接線１４と共に角度αを形成している。図３に書き込まれたような正の角度αは移行点７を中心とした移行範囲の凸面状の湾曲を生ぜしめる。図４には、図３に示した輪郭１０の別の図面が示されている。図４には、内側歯面６および移行点７ならびに切込み８の輪郭１０が認められる。一点鎖線によりそれぞれ輪郭１０に対する接線円が描かれている。たとえば輪郭１０と対称軸線１２との交点の近傍における半径Ｒ１´を有する接線円ならびに移行点７の近傍における半径Ｒ２´を有する接線円が取り上げられている。図面から直接に判るように、半径Ｒ１´を有する接線円のための中心点Ｍ１´と、半径Ｒ２´を有する接線円のための中心点Ｍ２´とは合致していない。さらに、半径Ｒ１´および半径Ｒ２´ならびにこれらの半径の間に位置する任意の別の全ての接線円の半径は互いに異なっている。このような曲線は、たとえばスプライン曲線、特にＢスプライン曲線として描かれ得る。
【００１６】
択一的には、図５に示したように互いに並設された個々の離散的な半径から成る曲線を形成することが可能である。図５に描かれた図の図示形式は図４の図示形式にほぼ相当している。図４に示した実施例における輪郭１０とは異なり、本発明による輪郭１０´は互いに異なる半径の並設された複数の円区分を有している。比較のために、公知先行技術による輪郭９も書き込まれている。輪郭１０´は互いに異なる半径を有する円弧の間に移行点１０．１，１０．２，１０．３を有している。これらの半径はこの場合、輪郭１０´と対称軸線１２との交点と移行点１０．１との間の円弧に関してはＲ１として、移行点１０．１と移行点１０．２との間の円弧に関してはＲ２として、移行点１０．２と移行点１０．３との間の円弧に関してはＲ３として、移行点１０．３と移行点７との間の円弧区分に関してはＲ４として、それぞれ表されている。各円弧区分には、各半径と同じインデックスを有する中心点Ｍ１〜Ｍ４が所属している。図面から判るように、特に円中心点の座標は変化する。この場合、半径、本実施例ではＭ１〜Ｍ４の半径は一定のままであってもよい。半径が半径Ｒ１から半径Ｒ４へ向かってその都度小さくなると有利である。図５に示した実施例の場合でも、図３に示した角度αの定義による正の角度αが生じる。比較のために、公知先行技術において一定となる輪郭９の半径Ｒも書き込まれている。
【図面の簡単な説明】
【００１７】
【図１】切込みの種々の輪郭を有する歯付きリンクプレートを示す概略図である。
【図２】歯面の半部を拡大して示す図である。
【図３】図２に示した切込みの範囲の拡大図である。
【図４】別の実施例による、図２に示した切込みの範囲の拡大図である。
【図５】さらに別の実施例による、図２に示した切込みの範囲の拡大図である。
【符号の説明】
【００１８】
１  歯付きリンクプレート
２  基体
３  歯
４，４´  孔
５，５´  外側歯面
６，６´  内側歯面
７，７´  移行点
８  切込み
９  公知先行技術による輪郭
１０  本発明の第１実施例による輪郭
１０．１，１０．２，．．．  輪郭１０上の移行点
１１  本発明の第２実施例による輪郭
１２  対称平面
１３  接線
１４  接線
１５  リンクプレート背面
１６  縁部
Ｌ  チェーン走行方向
Ｒ，Ｒ１，．．．半径
Ｍ，Ｍ１，．．．接線円の中心点
【図１】
2009521648.tif 000003
【図２】
2009521648.tif 000004
【図３】
2009521648.tif 000005
【図４】
2009521648.tif 000006
【図５】
2009521648.tif 000007
【国際調査報告】
2009521648.tif 000008
2009521648.tif 000009
2009521648.tif 000010
2009521648.tif 000011